(57)【要約】本発明は、コネクタの一部であるコンタクトエレメントであって、当該コンタクトエレメントがコネクタハウジング内に支承可能であり、かつ少なくとも１つのブレード状端子を有する対応コネクタとの再解離可能な電気的な結合を生ぜしめるためのコンタクト範囲を規定している形式のものに関する。  本発明によれば、コンタクト範囲が少なくとも２つのコンタクト部分（９）を有しており、該コンタクト部分（９）が互いに間隔を置いて配置されていて、ブレード状端子（８）を収容するために設けられており、さらに各コンタクト部分（９）がそれぞれ２つのコンタクト個所（１１）を有していることを特徴とする。
2005528766.tif 000002
【特許請求の範囲】
【請求項１】
コネクタの一部であるコンタクトエレメントであって、当該コンタクトエレメントがコネクタハウジング内に支承可能であり、かつ少なくとも１つのブレード状端子を有する対応コネクタとの再解離可能な電気的な結合を生ぜしめるためのコンタクト範囲を規定している形式のものにおいて、コンタクト範囲が少なくとも２つのコンタクト部分（９）を有しており、該コンタクト部分（９）が互いに間隔を置いて配置されていて、ブレード状端子（８）を収容するために設けられており、さらに各コンタクト部分（９）がそれぞれ２つのコンタクト個所（１１）を有していることを特徴とする、電気的な差込み結合部に用いられるコンタクトエレメント。
【請求項２】
コンタクト部分（９）が、コンタクトエレメント（５）の長手方向軸線（１６）の方向に波状に形成されている、請求項１記載のコンタクトエレメント。
【請求項３】
コンタクト部分（９）が、コンタクトエレメント（５）の長手方向軸線（１６）の方向にスプーン状に形成されている、請求項１記載のコンタクトエレメント。
【請求項４】
コンタクト部分（９）が、コンタクトエレメント（５）のその他の部分と共に一体的な部分を形成している、請求項１または２記載のコンタクトエレメント。
【請求項５】
コンタクト部分（９）が、コンタクトしたいブレード状端子（８）の有する幅よりも広幅に設計されている、請求項１から４までのいずれか１項記載のコンタクトエレメント。
【請求項６】
コンタクト部分（９）が、長手方向軸線（１６）に対してコンタクトエレメント（５）のその他の部分から間隔を置いて配置されている、請求項１から５までのいずれか１項記載のコンタクトエレメント。
【請求項７】
前記間隔がコンタクトブリッジ（１５）によって形成可能である、請求項５記載のコンタクトエレメント。
【請求項８】
コンタクトエレメント（５）のコンタクト脚部（１３）の自由端部に、４つのコンタクト部分（９）が設けられている、請求項１から７までのいずれか１項記載のコンタクトエレメント。
【請求項９】
コンタクトエレメント（５）のコンタクト脚部（１３）の自由端部に、８つのコンタクト部分（９）が設けられている、請求項１から７までのいずれか１項記載のコンタクトエレメント。
【請求項１０】
複数のコンタクト部分（９）が、長手方向軸線（１６）の方向に平行に向けられている、請求項１から９までのいずれか１項記載のコンタクトエレメント。
【請求項１１】
複数のコンタクト部分（９）が、長手方向軸線（１６）に対して規定の角度を成して配置されている、請求項１から７までのいずれか１項記載のコンタクトエレメント。
【請求項１２】
コンタクトエレメント（９）が打抜き成形部品である、請求項１から１１までのいずれか１項記載のコンタクトエレメント。
【請求項１３】
コンタクトエレメント（９）が単一部分から形成されている、請求項１から１２までのいずれか１項記載のコンタクトエレメント。
【請求項１４】
コンタクトエレメント（９）が２つの部分から形成されている、請求項１から１２までのいずれか１項記載のコンタクトエレメント。
【発明の詳細な説明】
【技術分野】
【０００１】
本発明は、コネクタの一部であるコンタクトエレメントであって、当該コンタクトエレメントがコネクタハウジング内に支承可能であり、かつ少なくとも１つのブレード状端子（Messer）を有する対応コネクタとの再解離可能な電気的な結合を生ぜしめるためのコンタクト範囲を規定している形式のものに関する。
【０００２】
背景技術
電気的な差込み結合部は、ソケット部分とプラグ部分との間の結合を形成するために設けられており、この場合、ソケット部分は一般に複数のコンタクトエレメントを有している。これらのコンタクトエレメントは、対応コネクタ内に配置されたピン状端子、ブレード状端子またはこれに類するものによって受け止められ、こうしてコネクタと対応コネクタとの間に電気的な線路が形成可能となる。このような電気的な差込み結合は再び解離可能である。
【０００３】
電気的な差込み結合を形成するためには、対応コネクタ内に配置されたブレード状端子が、コネクタに設けられた開口に侵入して、コンタクトエレメントとコンタクトする。コンタクトエレメントはクリップ状に形成されていて、クリップ状に形成されたコンタクト部分の間でブレード状端子にコンタクトする。引き続きブレード状端子をコンタクトエレメント内へさらに押し込むことによって、ばね状に支承されたコンタクト部分は拡開して、押込み過程の間、ブレード状端子の表面に沿ってスライドする。対応コネクタのブレード状端子は終端位置では一般にコネクタのコンタクトエレメントによって大部分が取り囲まれ、この場合、実際のコンタクト面はコンタクトエレメントのコンタクト部分とブレード状端子のコンタクト部分との間に形成される。
【０００４】
コンタクトエレメントには、ケーブル接続部が設けられており、このケーブル接続部はシールエレメント（エラストマ）を介してコネクタのハウジングから導出される。また、ブレード状端子にも、同じくケーブルが配置されており、このケーブルは同じく対応コネクタから導出される。
【０００５】
公知先行技術の欠点
特に自動車においてケーブル振動またはその他の運動、たとえば微小運動または振盪運動が発生した場合に、直接にコンタクト範囲において、つまりコンタクトエレメントのコンタクト部分とブレード状端子との間において、コンタクトエレメントとブレード状端子との間に摩擦腐食をもたらす恐れのある運動が発生する。
【０００６】
発明の課題
本発明の課題は、目下知られている差込み結合部を改良して、第１に高い差込み力が回避され、第２に特に振盪運動時に摩擦腐食が回避されるか、または少なくとも制限されるような差込み結合部を提供することである。
【０００７】
課題を解決するための手段
上記課題を解決するための手段は、コンタクトエレメントがそのコンタクト範囲に少なくとも２つのコンタクト部分を有しており、該コンタクト部分が互いに間隔を置いて配置されていて、ブレード状端子を収容するために設けられており、さらに各コンタクト部分がそれぞれ２つのコンタクト個所を有していることにある。
【０００８】
発明の利点
本発明の根本思想は、各コンタクト部分の複数のコンタクト個所を弾性的な配置形式で提供して、こうして冗長的なコンタクト原理を提供することである。さらに、複数のコンタクト個所を付加的な弾性特性との組合せの形で提供することにより、スイング運動または揺動運動時において各ブレード状端子のセルフセンタリングが行われることが達成される。
【０００９】
複数のコンタクト個所を差込み方向で並設することにより、より小さな差込み力しか必要とされないので、差込みの開始時にはコンタクトの半分が摩擦のために寄与する。これによってコネクタ内への各ブレード状端子の穏やかな挿入が得られる。
【００１０】
コンタクト部分とコンタクトエレメントとが、単一部分から成る一体的な構成部分を形成していると有利である。こうして形成されたコンタクト部分の長さと材料厚さとに基づき、コンタクト装置全体の剛性を調節し、かつ各表面層に適合させることができる。
【００１１】
さらに、より高い圧着力を確保するために、相応するばねを使用することも可能である。
【００１２】
本発明の別の重要な利点は、単一部分から成る一体的な構成に基づき、コンタクトエレメントが唯１回の打抜き加工過程を用いて製作可能となるので、好都合な製造が可能となることにある。
【００１３】
個々のコンタクト部分は有利には実際のコンタクトエレメントの長手方向軸線から間隔を置いて配置されているので、コンタクト部分の幅を任意に、かつ使用事例に応じて設計することが可能である。これによって、より広幅のコンタクト個所をも提供することができるので、より大きなアンペア領域の電流が伝送され得るようになる。
【００１４】
コンタクトエレメントの自由端部（コンタクト範囲の反対の側）の任意の構成は、その都度の設計者に対して、当該設計者が、対応するワイヤハーネスと共にクリンプ結合を実施したいのか、または解離可能な結合を実施したいのかを決定させる。
【００１５】
本発明の特別な構成は、１つのコンタクトエレメントに４つのコンタクト部分が設けられていることにある。この場合、それぞれクリップ状に形成された各コンタクト部分はコンタクトエレメントの長手方向延在方向で一方の側もしくは他方の側に配置されている。これにより、合計８つのコンタクト個所が提供され、このことは極めて高い冗長性をもたらす。この構成は、たとえば３ｍｍよりも上の極めて広幅なブレード状端子のために適している。
【００１６】
本発明のさらに別の構成では、実際のコンタクトエレメントがＵ字形に形成されており、したがって２つのコンタクト脚部を有している。各コンタクト脚部の自由端部には、コンタクトエレメントの長手方向延在方向に波状に形成された複数のコンタクト部分が配置されており、この場合、前記コンタクト脚部の自由端部から１つのコンタクトブリッジが離反して延びており、このコンタクトブリッジは、コンタクト部分とコンタクト脚部との間の結合を形成している。
【００１７】
合計４つのコンタクト部分が設けられている、本発明のさらに別の特別な構成では、コンタクトブリッジが両側に延在していて、コンタクトブリッジの各端部に１つのコンタクト部分を有している。
【００１８】
合計４つのコンタクト部分が設けられている、本発明のさらに別の特別な構成では、コンタクトブリッジが両側に延在していて、それぞれ各端部に１つのコンタクト部分を有している。
【００１９】
本発明のさらに別の有利な構成では、コンタクトエレメントを単一部分から一体的に形成することが可能である。
【００２０】
本発明のさらに別の有利な構成は、以下に記載の実施例の説明、特許請求の範囲ならびに図面から明らかである。
【００２１】
実施例の説明
図１には、電気的な差込み結合部１の断面図が示されている。この差込み結合部１は、互いに連結されているコネクタ２と、対応コネクタ３とを有している。コネクタ２はさらにコネクタハウジング４の内部にコンタクトエレメント５を有しており、このコンタクトエレメント５はワイヤハーネス（Kabelstrang）６に結合されている。このワイヤハーネス６は、シール部材７を介してコネクタハウジング４の内部に支承されている。電気的な差込み結合部を形成するためには、対応コネクタ３がブレード状端子８を有している。このブレード状端子８は、図１に示した実施例では、コンタクトエレメント５内に配置されている。ブレード状端子８の表面１０は、コンタクトエレメント５に対応配置されたコンタクト部分９にコンタクトしている。
【００２２】
コンタクト部分９は、これらのコンタクト部分９がブレード状端子８をクリップ状に取り囲み、かつばね状の予荷重もしくはプリロードを有するように成形されているので、互いに向かい合って位置する２つのコンタクト個所１１は表面１０に接触して、電気的なコンタクトを形成している。
【００２３】
図２には、本発明によるコンタクトエレメント５の第１実施例が図示されている。このコンタクトエレメント５は、Ｕ形に形成された基本プロファイルもしくは基本成形材１２から成っており、この場合、この基本成形材１２はコンタクト脚部１３を有しており、このコンタクト脚部１３はその一方の側には１つのブリッジエレメント１４を有していて、他方の側、つまりブリッジエレメント１４とは反対の側（コンタクト脚部１３の自由端部）では少なくとも間接的にコンタクト部分９を指している。
【００２４】
図２に示した実施例では、コンタクト部分９が直接にコンタクト脚部１３に配置されているのではなく、コンタクトブリッジ１５を介してコンタクト脚部１３から間隔を置いて配置されているので、コンタクト部分９は長手方向軸線１６とコンタクト脚部１３とによって形成される１平面の外側に配置されている。
【００２５】
コンタクト部分９は長手方向軸線１６に対して平行に波状に延びているので、ブレード状端子８は４つのコンタクト個所１１で保持されるか、もしくはコンタクトされる。
【００２６】
図２に示したコンタクト部分９は、矢印１７で示した差込み方向に正確に合致する長手方向軸線１６に対して平行に延びている。図示していない実施例ではコンタクト部分９が差込み方向１７に対して傾斜されている。このことは取りも直さず、互いに向かい合って位置するコンタクト部分９が、差込み方向１７から見て、別のコンタクト個所１１により形成される開口範囲１９とは異なる開口範囲１８を有していることを意味している。これにより、コネクタ２と対応コネクタ３との差し合わせ中に発生する差込み力は減じられ、ひいては本発明の課題の目標設定は一層容易に達成される。
【００２７】
ブリッジエレメント１４は、コンタクト脚部１３を直接に互いに結合するように形成されていてよい。図２に示した実施例では、ブリッジエレメント１４が、長手方向軸線１６の方向で見てＣ字形に形成されている。これによって、コンタクトエレメント５に続いた電気的なケーブルをクリンプ（Crimpung）またはろう接接続によって取り付けることができる。
【００２８】
図３に示した実施例では、図２の実施例と比べて、コンタクト脚部１３の両端部に、さらにクリップ状に形成された２つのコンタクト部分９が設けられている。両コンタクト部分９は、長手方向に延在する長手方向軸線１６の方向で見て両側に延びているので、（２つのブレード状端子（図示していない）が１つのコンタクトエレメント５によって同時に収容され得るか、または１つの広幅のブレード状端子が両コンタクト部分９の間に位置固定可能となる。
【００２９】
図４には、図３に示した実施例に対して択一的な別の実施例が示されている。図３に示した実施例との相違点は、両コンタクト部分９が唯一つの平面もしくは階層に設けられていることである。
【００３０】
図５には、図４に示した実施例の別の実施例が示されている。図４に示した実施例との相違点は、コンタクト部分９が図４の実施例の状態に比べて９０゜だけずらされて配置されていることである。
【００３１】
コンタクトエレメント５の本発明の構成に基づき、このコンタクトエレメント５を打抜き・曲げ成形部材として形成することが可能になる。このことは大量生産品としての低廉でかつ簡単な製造をも可能にする。
【図面の簡単な説明】
【００３２】
【図１】コネクタハウジング内に配置された本発明によるコンタクト部分と、コネクタと共に電気的な差込み結合部を形成する対応コネクタとを概略的に示す断面図である。
【００３３】
【図２】本発明によるコンタクトエレメントの第１実施例を示す概略的な斜視図である。
【００３４】
【図３】本発明によるコンタクトエレメントの第２実施例を示す概略的な斜視図である。
【００３５】
【図４】本発明によるコンタクトエレメントの第３実施例を示す概略的な斜視図である。
【００３６】
【図５】本発明によるコンタクトエレメントの第４実施例を示す概略的な斜視図である。
【図１】
2005528766.tif 000003
【図２】
2005528766.tif 000004
【図３】
2005528766.tif 000005
【図４】
2005528766.tif 000006
【図５】
2005528766.tif 000007
【国際調査報告】
2005528766.tif 000008
2005528766.tif 000009
2005528766.tif 000010
2005528766.tif 000011